(57)【要約】      （修正有）【課題】ミスト発生装置を備えたものにおいても比較的簡単な構成でもってランニングコスト表示機能を持たせることができる浴室暖房乾燥機を提供すること。【解決手段】浴室内を暖房乾燥するための暖房乾燥機本体２と、ミストを生成して噴出するミスト発生装置５２と、温水を生成して暖房乾燥機本体２及びミスト発生装置５２に供給する熱源機３６と、を具備する浴室暖房乾燥機。この浴室暖房乾燥機は、熱源機３６のガス消費量、暖房乾燥機本体２の電力消費量及びミスト発生装置５２の水道水消費量に基づいてランニングコストを算出するためのランニングコスト演算手段１４６と、算出したランニングコストを表示するランニングコスト表示手段１２４とを備え、ランニングコスト演算手段１４６は、非定常運転コストを演算する非定常運転コスト演算手段１５２と、定常運転コストを演算する定常運転コスト演算手段１５４とを含んでいる。【選択図】図４
2014105979.tif 000002
【特許請求の範囲】
【請求項１】
浴室内を暖房乾燥するための暖房乾燥機本体と、ミストを生成して噴出するミスト発生装置と、温水を生成して前記暖房乾燥機本体及び前記ミスト発生装置に供給するための熱源機と、を具備する浴室暖房乾燥機であって、
前記熱源機のガス消費量、前記暖房乾燥機本体の電力消費量及び前記ミスト発生装置の水道水消費量に基づいてランニングコストを算出するためのランニングコスト演算手段と、前記ランニングコスト演算手段により算出したランニングコストを表示するランニングコスト表示手段とを備えることを特徴とする浴室暖房乾燥機。
【請求項２】
前記ランニングコスト演算手段は、運転初期の非定常運転状態における非定常運転コストを演算する非定常運転コスト演算手段と、前記非定常運転状態後の定常運転状態における定常運転コストを演算する定常運転コスト演算手段とを含み、前記ミスト発生装置は、前記浴室内にミストを噴出するスプラッシュミスト発生ノズルを含んでおり、
前記スプラッシュミスト発生ノズルからミストを噴出するスプラッシュミスト運転においては、前記非定常運転コスト演算手段は、前記非定常運転状態における前記熱源機のガス消費量及び前記暖房乾燥機本体の電力消費量に基づいて前記非定常運転状態における非定常運転コストを演算し、前記定常運転コスト演算手段は、前記定常運転状態における前記熱源機のガス消費量、前記暖房乾燥機本体の電力消費量及び前記ミスト発生装置の水道水消費量に基づいて前記定常運転状態における定常運転コストを演算し、前記ランニングコスト演算手段は、前記非定常運転コスト演算手段により演算された前記非定常運転コスト及び前記定常運転コスト演算手段により演算された前記定常運転コストに基づいて前記スプラッシュミスト運転状態のランニングコストを算出することを特徴とする請求項１に記載の浴室暖房乾燥機。
【請求項３】
前記ミスト発生装置は、マイクロミストを噴出するマイクロミスト発生ノズルを含んでおり、
前記マイクロミスト発生ノズルからミストを噴出するマイクロミスト運転においては、前記非定常運転コスト演算手段は、前記非定常運転状態における前記熱源機のガス消費量、前記暖房乾燥機本体の電力消費量及び前記ミスト発生装置の水道水消費量に基づいて前記非定常運転状態における非定常運転コストを演算し、前記定常運転コスト演算手段は、前記定常運転状態における前記熱源機のガス消費量、前記暖房乾燥機本体の電力消費量及び前記ミスト発生装置の水道水消費量に基づいて前記定常運転状態における定常運転コストを演算し、前記ランニングコスト演算手段は、前記非定常運転コスト演算手段により演算された前記非定常運転コスト及び前記定常運転コスト演算手段により演算された前記定常運転コストに基づいて前記マイクロミスト運転状態のランニングコストを算出することを特徴とする請求項１又は２に記載の浴室暖房乾燥機。
【請求項４】
前記暖房乾燥機本体は、前記熱源機からの温水との間の熱交換により浴室内の空気を加熱する暖房用熱交換器を備え、前記ミスト発生装置は、前記熱源機からの温水との間の熱交換により水道水を加熱するミスト用熱交換器を含み、前記熱源機の供給側と前記暖房用熱交換器及び前記ミスト用熱交換器の流入側とは温水往きラインを介して接続され、前記熱源機の戻り側と前記暖房用熱交換器及び前記ミスト用熱交換器の流出側とは温水戻りラインを介して接続され、前記暖房用熱交換器の前記流入側に関連して、温水の往き温度を検知するための温水往き温度検知手段が設けられ、また前記暖房用熱交換器の前記流出側に関連して、温水の戻り温度を検知するための温水戻り温度検知手段が設けられ、更に、前記非定常運転状態から前記定常運転状態に移行したことを判定する定常状態移行判定手段が設けられており、
前記温水往き温度検知手段及び前記温水戻り検知手段の設定時間当たりの検知温度差変化が第１所定温度以下になると、前記定常状態移行判定手段は、前記熱源機、前記暖房乾燥機本体及び前記ミスト発生装置が前記非定常運転状態から前記定常運転状態に移行したと判定することを特徴とする請求項２又は３に記載の浴室暖房乾燥機。
【請求項５】
前記暖房乾燥機本体は、前記熱源機からの温水との間の熱交換により浴室内の空気を加熱する暖房用熱交換器を備え、前記ミスト発生装置は、前記熱源機からの温水との間の熱交換により水道水を加熱するミスト用熱交換器を含み、前記熱源機の供給側と前記暖房用熱交換器及び前記ミスト用熱交換器の流入側とは温水往きラインを介して接続され、前記熱源機の戻り側と前記暖房用熱交換器及び前記ミスト用熱交換器の流出側とは温水戻りラインを介して接続され、前記暖房用熱交換器の前記流出側に関連して、温水の戻り温度を検知するための温水戻り温度検知手段が設けられ、更に、前記定常運転状態を判定するための定常状態判定手段が設けられており、
前記温水戻り検知手段の検知温度の設定時間当たりの温度差が第２所定温度以下になると、前記定常状態判定手段は、前記熱源機、前記暖房乾燥機本体及び前記ミスト発生装置が前記定常運転状態である判定することを特徴とする請求項２又は３に記載の浴室暖房乾燥機。
【請求項６】
前記非定常運転コスト演算手段は、前記熱源機のガス消費量に基づくガスコストについては一定額とし、前記暖房乾燥機本体の電力消費量に基づく電力コストについては単位時間当たりの電力消費量及び前記非定常運転状態の運転時間に基づいて算出し、また定常運転コスト演算手段は、前記熱源機のガス消費量に基づくガスコストについては単位時間当たりのガス消費量及び前記定常運転状態の運転時間に基づいて算出し、前記暖房乾燥機本体の電力消費量に基づく電力コストについては単位時間当たりの電力消費量及び前記定常運転状態の運転時間に基づいて算出し、前記ミスト発生装置の水道水消費量に基づく水道水コストについては単位時間当たりの水道水消費量及び前記定常運転状態の運転時間に基づいて算出することを特徴とする請求項２〜４のいずれかに記載の浴室暖房乾燥機。
【発明の詳細な説明】
【技術分野】
【０００１】
本発明は、浴室内を暖房、換気などするために用いる浴室暖房乾燥機に関する。
【背景技術】
【０００２】
冬場の入浴時、暖房された居室と冷えた浴室との温度差によるヒートショックを防止するために、浴室を暖めるなどするための浴室暖房乾燥機が広く実用に供されている。近年、この浴室乾燥暖房器において、更なる機能を追加するために、浴室をサウナ空間として利用してサウナ効果を得るミスト発生装置を備えたものが普及している。（例えば、特許文献１参照）。この浴室暖房乾燥機は、浴室の天井などに取り付けられる暖房乾燥機本体と、温水を生成して暖房乾燥機本体に温水を供給する熱源機と、ミストを発生するミスト発生装置とを備え、暖房乾燥機本体は、温水を利用して空気を加熱するための暖房用熱交換器と、浴室内の空気を循環するための循環ファンと、浴室内の空気を換気するための換気ファンとを有し、またミスト発生装置は、温水を利用して水を加熱するためのミスト用熱交換器と、ミストを発生するミスト発生ノズルとを有している。一般的なミスト発生装置は、ミスト発生ノズルとしてスプラッシュミスト発生ノズルを備え、また改良型のミスト発生装置では、ミスト発生ノズルとしてスプラッシュミスト発生ノズル及びマイクロミスト発生ノズル（スプラッシュミスト発生ノズルよりもより細かなミストを発生するもの）を備えている。
【０００３】
この浴室暖房乾燥機をスプラッシュミスト運転（又はマイクロミスト運転）するときには、熱源機、暖房乾燥機本体及びミスト発生装置が作動され、熱源機において燃料用ガスが消費され、暖房乾燥機本体において電力が消費され、またミスト発生装置では水道水が消費される。
【先行技術文献】
【特許文献】
【０００４】
【特許文献１】特開２０１１−２００４３１号公報
【発明の概要】
【発明が解決しようとする課題】
【０００５】
近年、環境に優しい機器の一つとして、ランニングコストを表示して省エネルギーを意識して運転してもらうようにした機器が注目され、このミストサウナ機能を備えた浴室暖房乾燥機においてもランニングコスト表示機能を備えたものの実用化が望まれている。
【０００６】
しかしながら、この種の浴室暖房乾燥機においては、ランニングコストを表示する機能を有するものはなく、ランニングコストを表示することができなかった。仮に、ランニングコスト表示機能を付けようとすると、熱源機にて消費される燃料用ガスの消費量を計測するための流量計測装置が必要となり、また暖房乾燥機本体にて消費される電力の消費量を計測するための電力計測装置が必要となり、更にミスト発生装置で消費される水道水の消費量を計測するための流量計測装置が必要となり、ミストサウナ機能付き浴室暖房乾燥機にランニングコスト表示機能を持たせるためには、これら計測装置などに起因してその構造が複雑になるとともに、製作コストが高価となる問題がある。
【０００７】
本発明の目的は、ミスト発生装置を備えたものにおいても比較的簡単な構成でもってランニングコスト表示機能を持たせることができる浴室暖房乾燥機を提供することである。
【課題を解決するための手段】
【０００８】
本発明の請求項１に記載の浴室暖房乾燥機は、浴室内を暖房乾燥するための暖房乾燥機本体と、ミストを生成して噴出するミスト発生装置と、温水を生成して前記暖房乾燥機本体及び前記ミスト発生装置に供給するための熱源機と、を具備する浴室暖房乾燥機であって、
前記熱源機のガス消費量、前記暖房乾燥機本体の電力消費量及び前記ミスト発生装置の水道水消費量に基づいてランニングコストを算出するためのランニングコスト演算手段と、前記ランニングコスト演算手段により算出したランニングコストを表示するランニングコスト表示手段とを備えることを特徴とする。
【０００９】
また、本発明の請求項２に記載の浴室暖房乾燥機では、前記ランニングコスト演算手段は、運転初期の非定常運転状態における非定常運転コストを演算する非定常運転コスト演算手段と、前記非定常運転状態後の定常運転状態における定常運転コストを演算する定常運転コスト演算手段とを含み、前記ミスト発生装置は、前記浴室内にミストを噴出するスプラッシュミスト発生ノズルを含んでおり、
前記スプラッシュミスト発生ノズルからミストを噴出するスプラッシュミスト運転においては、前記非定常運転コスト演算手段は、前記非定常運転状態における前記熱源機のガス消費量及び前記暖房乾燥機本体の電力消費量に基づいて前記非定常運転状態における非定常運転コストを演算し、前記定常運転コスト演算手段は、前記定常運転状態における前記熱源機のガス消費量、前記暖房乾燥機本体の電力消費量及び前記ミスト発生装置の水道水消費量に基づいて前記定常運転状態における定常運転コストを演算し、前記ランニングコスト演算手段は、前記非定常運転コスト演算手段により演算された前記非定常運転コスト及び前記定常運転コスト演算手段により演算された前記定常運転コストに基づいて前記スプラッシュミスト運転状態のランニングコストを算出することを特徴とする。
【００１０】
また、本発明の請求項３に記載の浴室暖房乾燥機では、前記ミスト発生装置は、マイクロミストを噴出するマイクロミスト発生ノズルを含んでおり、
前記マイクロミスト発生ノズルからミストを噴出するマイクロミスト運転においては、前記非定常運転コスト演算手段は、前記非定常運転状態における前記熱源機のガス消費量、前記暖房乾燥機本体の電力消費量及び前記ミスト発生装置の水道水消費量に基づいて前記非定常運転状態における非定常運転コストを演算し、前記定常運転コスト演算手段は、前記定常運転状態における前記熱源機のガス消費量、前記暖房乾燥機本体の電力消費量及び前記ミスト発生装置の水道水消費量に基づいて前記定常運転状態における定常運転コストを演算し、前記ランニングコスト演算手段は、前記非定常運転コスト演算手段により演算された前記非定常運転コスト及び前記定常運転コスト演算手段により演算された前記定常運転コストに基づいて前記マイクロミスト運転状態のランニングコストを算出することを特徴とする。
【００１１】
また、本発明の請求項４に記載の浴室暖房乾燥機では、前記暖房乾燥機本体は、前記熱源機からの温水との間の熱交換により浴室内の空気を加熱する暖房用熱交換器を備え、前記ミスト発生装置は、前記熱源機からの温水との間の熱交換により水道水を加熱するミスト用熱交換器を含み、前記熱源機の供給側と前記暖房用熱交換器及び前記ミスト用熱交換器の流入側とは温水往きラインを介して接続され、前記熱源機の戻り側と前記暖房用熱交換器及び前記ミスト用熱交換器の流出側とは温水戻りラインを介して接続され、前記暖房用熱交換器の前記流入側に関連して、温水の往き温度を検知するための温水往き温度検知手段が設けられ、また前記暖房用熱交換器の前記流出側に関連して、温水の戻り温度を検知するための温水戻り温度検知手段が設けられ、更に、前記非定常運転状態から前記定常運転状態に移行したことを判定する定常状態移行判定手段が設けられており、
前記温水往き温度検知手段及び前記温水戻り検知手段の設定時間当たりの検知温度差変化が第１所定温度以下になると、前記定常状態移行判定手段は、前記熱源機、前記暖房乾燥機本体及び前記ミスト発生装置が前記非定常運転状態から前記定常運転状態に移行したと判定することを特徴とする。
【００１２】
また、本発明の請求項５に記載の浴室暖房乾燥機では、前記暖房乾燥機本体は、前記熱源機からの温水との間の熱交換により浴室内の空気を加熱する暖房用熱交換器を備え、前記ミスト発生装置は、前記熱源機からの温水との間の熱交換により水道水を加熱するミスト用熱交換器を含み、前記熱源機の供給側と前記暖房用熱交換器及び前記ミスト用熱交換器の流入側とは温水往きラインを介して接続され、前記熱源機の戻り側と前記暖房用熱交換器及び前記ミスト用熱交換器の流出側とは温水戻りラインを介して接続され、前記暖房用熱交換器の前記流出側に関連して、温水の戻り温度を検知するための温水戻り温度検知手段が設けられ、更に、前記定常運転状態を判定するための定常状態判定手段が設けられており、
前記温水戻り検知手段の検知温度の設定時間当たりの温度差が第２所定温度以下になると、前記定常状態判定手段は、前記熱源機、前記暖房乾燥機本体及び前記ミスト発生装置が前記定常運転状態であると判定することを特徴とする。
【００１３】
更に、本発明の請求項６に記載の浴室暖房乾燥機では、前記非定常運転コスト演算手段は、前記熱源機のガス消費量に基づくガスコストについては一定額とし、前記暖房乾燥機本体の電力消費量に基づく電力コストについては単位時間当たりの電力消費量及び前記非定常運転状態の運転時間に基づいて算出し、また定常運転コスト演算手段は、前記熱源機のガス消費量に基づくガスコストについては単位時間当たりのガス消費量及び前記定常運転状態の運転時間に基づいて算出し、前記暖房乾燥機本体の電力消費量に基づく電力コストについては単位時間当たりの電力消費量及び前記定常運転状態の運転時間に基づいて算出し、前記ミスト発生装置の水道水消費量に基づく水道水コストについては単位時間当たりの水道水消費量及び前記定常運転状態の運転時間に基づいて算出することを特徴とする。
【発明の効果】
【００１４】
本発明の請求項１に記載の浴室暖房乾燥機によれば、ランニングコスト演算手段は、熱源機のガス消費量、暖房乾燥機本体の電力消費量及びミスト発生装置の水道水消費量に基づいてランニングコストを算出するので、浴室暖房乾燥機をミストサウナ運転させたときのランニングコストを所要の通りに算出することができ、この算出したランニングコストをランニングコスト表示手段に表示することによって、ミストサウナ運転させたときのランニングコストを容易に知ることができる。また、ランニングコストを算出するときに、例えば、熱源機については単位時間当たりの定格ガス消費量を用い、暖房乾燥機本体については単位時間当たりの定格電力消費量を用い、またミスト発生装置については単位時間当たりの定格水道水消費量を用いることによって、比較的簡単にランニングコストを算出することができる。
【００１５】
また、本発明の請求項２に記載の浴室暖房乾燥機によれば、スプラッシュミスト発生ノズルからミストを噴出するスプラッシュミスト運転においては、非定常運転コスト演算手段は、非定常運転状態における熱源機のガス消費量及び暖房乾燥機本体の電力消費量に基づいて非定常運転状態における非定常運転コストを演算し、また定常運転コスト演算手段は、定常運転状態における熱源機のガス消費量、暖房乾燥機本体の電力消費量及びミスト発生装置の水道水消費量に基づいて定常運転状態における定常運転コストを演算し、ランニングコスト演算手段は、これら非定常運転コスト及び定常運転コストに基づいてランニングコストを算出するので、スプラッシュミスト運転におけるランニングコストを比較的簡単に且つ運転状態に即して算出することができる。
【００１６】
また、本発明の請求項３に記載の浴室暖房乾燥機によれば、マイクロミスト発生ノズルからミストを噴出するマイクロミスト運転においては、非定常運転コスト演算手段は、非定常運転状態における熱源機のガス消費量、暖房乾燥機本体の電力消費量及びミスト発生装置の水道水消費量に基づいて非定常運転状態における非定常運転コストを演算し、また定常運転コスト演算手段は、定常運転状態における熱源機のガス消費量、暖房乾燥機本体の電力消費量及びミスト発生装置の水道水消費量に基づいて定常運転状態における定常運転コストを演算し、ランニングコスト演算手段は、これら非定常運転コスト及び定常運転コストに基づいてランニングコストを算出するので、マイクロミスト運転におけるランニングコストを比較的簡単に且つ運転状態に即して算出することができる。
【００１７】
また、本発明の請求項４に記載の浴室暖房乾燥機によれば、暖房乾燥機本体の暖房用熱交換器の流入側に関連して設けられた温水往き温度検知手段とこの暖房用熱交換器の流出側に関連して設けられた温水戻り温度検知手段との設定時間（例えば、１０分間程度）当たりの検知温度差変化が第１所定温度（例えば、５℃程度）以下になると、定常状態移行判定手段が熱源機、暖房乾燥機本体及びミスト発生器が定常運転状態に移行したと判定するので、この定常運転状態に移行したことを確実に判定することができる。この定常運転状態への移行判定とは、既に定常運状態に移行していることを判定するものであり、非定常運転状態から定常運転状態への切換えが上記設定時間前に行われ、この移行判定から設定時間前の時点で運転状態が切り換わっており、この時点より前の期間において浴室暖房乾燥機が非定常運転状態で運転され、この時点より後の期間において定常運転状態で運転される。
【００１８】
また、本発明の請求項５に記載の浴室暖房乾燥機によれば、暖房乾燥機本体の暖房用熱交換器の流出側に関連して設けられた温水戻り温度検知手段の検知温度の設定時間（例えば、１０秒）当たりの温度差が第２所定温度（例えば２℃程度）以下になると、定常状態判定手段は、熱源機、暖房乾燥機本体及びミスト発生器の運転状態が定常運転状態になったと判定し、この時点から熱源機、暖房乾燥機本体及びミスト発生装置が安定運転状態で運転される。
【００１９】
また、本発明の請求項６に記載の浴室暖房乾燥機によれば、非定常運転状態においては、熱源機のガス消費量に基づくガスコストについては一定額とし、暖房乾燥機本体の電力消費量に基づく電力コストについては単位時間当たりの電力消費量及び非定常運転状態の運転時間に基づいて演算するので、非定常運転コストを簡単に演算することができる。また、定常運転状態においては、熱源機のガス消費量に基づくガスコストについては単位時間当たりのガス消費量及び定常運転状態の運転時間に基づいて演算し、暖房乾燥機本体の電力消費量に基づく電力コストについては単位時間当たりの電力消費量及び定常運転状態の運転時間に基づいて演算し、またミスト発生装置の水道水消費量に基づく水道水コストについては単位時間当たりの水道水消費量及び定常運転状態の運転時間に基づいて演算するので、定常運転コストを簡単に演算することができる。
【図面の簡単な説明】
【００２０】
【図１】本発明に従う浴室暖房乾燥機の一実施形態を示す断面図。
【図２】図１の浴室暖房乾燥機における温水制御系を示す図。
【図３】図１の浴室暖房乾燥機を運転制御する操作リモコンを示す正面図。
【図４】図１の浴室暖房乾燥機を作動制御する制御系を示すブロック図。
【図５】浴室暖房乾燥機をスプラッシュミスト運転したときの運転時間とガス／水道水／電力の消費量及び往き戻りの温度差との関係を示す図。
【図６】浴室暖房乾燥機をスプラッシュミスト運転したときのランニングコストの算出の流れを示すフローチャート。
【図７】浴室暖房乾燥機をマイクロミスト運転したときの運転時間とガス／水道水／電力の消費量及び往き戻りの温度差との関係を示す図。
【図８】浴室暖房乾燥機を他の制御でもってスプラッシュミスト運転したときのランニングコストの算出の流れを示すフローチャート。
【発明を実施するための形態】
【００２１】
以下、添付図面を参照して、本発明に従う浴室暖房乾燥機の一実施形態について説明する。図１において、図示の浴室暖房乾燥機は暖房乾燥機本体２を備え、この暖房乾燥機本体２は例えば浴室の天井に取り付けられる。この暖房乾燥機本体２内には、循環流路４及び換気流路６が設けられている。循環流路４は、暖房乾燥機本体２内において図１の右部から中間部にわたって設けられ、この循環流路４に、空気を加熱するための暖房用熱交換器８と、浴室内の空気を循環するための循環ファン１０とが設けられている。暖房用熱交換器８は、略水平に延びる第１熱交換部１２と、略垂直に延びる第２熱交換部１４とを有し、第１熱交換部１２が循環ファン１０の下側に配設され、第２熱交換部１４が循環ファン１０の内側に配設されている。第１及び第２熱交換部１２，１４は複数本の中空パイプを有し、加熱媒体としての温水が後述する如くしてこれら中空パイプを通して流れる。
【００２２】
暖房乾燥機本体２の下面には、浴室内の空気を吸入するための吸入口１８と、浴室内に空気を吹き出すための吹出し口２０が設けられ、循環流路４の上流端部は吸入口１８に連通され、その下流端部は吹出し口２０に連通されている。この形態では、循環流路４の下流側部は仕切り板２２によって上下に仕切られ、この仕切り板２２の上側に上流路部２４が規定され、その下側に下流路部２６が規定されている。循環ファン１０が矢印１６で示す方向に回動すると、浴室内の空気は吸入口２０を通して吸入され、循環流路４を実線矢印で示すように流れ、吸入された空気の一部は上流路部２４を通して流れ、その残部が下流路部２６を通して流れ、これらの空気が合流した後吹出し口２２から浴室内に吹き出され、このようにして浴室内の空気が循環流路４（上流路部２４及び下流路部２６）を通して循環され、このように循環流路４を流れる空気は、暖房用熱交換器８を流れる温水との間で熱交換されて加温される。
【００２３】
吹出し口２０には、吹き出す空気の風向きを変えるためのルーバ２８が配設されている。ルーバ２８は揺動軸３０を中心として揺動自在に支持され、ルーバ用モータ３２（図４参照）によって揺動され、このルーバ２８によって吹出し口２０から吹き出す空気の向きが調節される。
【００２４】
また、換気流路６は、暖房乾燥機本体２内において図１の中間部から左部にわたって設けられている。暖房乾燥機本体２の側面（図１における左側面）には排気口（図示せず）が設けられ、換気流路６の上流端部が循環流路４に連通され、その下流端部が排気口に連通されている。この換気流路６には換気ファン３４が配設され、換気ファン３４が所定方向に回動すると、浴室内の空気は吸入口１８を通して吸引され、循環流路４の一部を通し換気流路６を破線矢印で示すように流れて排出口（図示せず）から屋外に排出される。
【００２５】
図２をも参照して、この暖房乾燥機本体２に関連して熱源機３６が設けられ、この熱源機３６にて生成された加熱媒体としての温水が暖房乾燥機本体２に供給される。熱源機３６は例えばガス給湯装置から構成され、燃料用ガスを燃焼させて温水を生成するための燃焼バーナ３８及び温水を送給するための送給ポンプ４０を備えている。この熱源機４６の供給側接続部４２が温水往きライン４４を介して暖房用熱交換器８の流入側に接続され、またその戻り側接続部４６が温水戻りライン４８を介して暖房用熱交換器８の流出側に接続され、温水往きライン４６には、このライン４６を開閉するための熱動弁５０が配設されている。このように構成されているので、熱源機３６からの温水は、温水往きライン４４、暖房用熱交換器８及び温水戻りライン４８を通して循環される。
【００２６】
この浴室暖房乾燥機には、更に、ミストサウナ効果を得るためのミスト発生装置５２が設けられている。ミスト発生装置５２は、ミスト用熱交換器５４（図２参照）、スプラッシュミスト発生ノズル５６及びマイクロミスト発生ノズル５８を備えている。ミスト用熱交換器５４は水道水を温めて温水とするものであり、その温水系統の流入側がミスト用温水往きライン６０を介して温水往きライン４４（具体的には、熱動弁５０の上流側）に接続され、その温水系統の流出側がミスト用温水戻りライン６２を介して温水戻りライン４８に接続され、ミスト用温水往きライン６０には、温水の流量を制御する水比例弁６１が配設されている。
【００２７】
また、ミスト用熱交換器５４の水系統の流入側は給水ライン６４を介して水道管（図示せず）に接続され、その水系統の流出側は排水ライン６６を介して排水部（図示せず）に接続されている。給水ライン６４には、水道水に含まれる不純物（錆など）を除去するためのストレーナ６５が配設されているとともに、給水ライン６４を開閉する給水電磁弁６７が配設されている。また、排水ライン６６には、この排水ライン６６を開閉する排水電磁弁６９が配設されている。
【００２８】
このように構成されているので、温水往きライン４４からの温水の一部は、ミスト用温水往きライン６０、ミスト用熱交換器５４及びミスト用温水戻りライン６２を介して温水戻りライン４８に流れ、また水道管からの水道水は、給水ライン６４、ミスト用熱交換器５４及び排水ライン６６を通して流れ、このミスト用熱交換器５４において温水系統の温水との熱交換により水系統の水が加温されて温水となる。
【００２９】
スプラッシュミスト発生ノズル５６は、スプラッシュミスト（５０〜１００μｍ程度の粒径のミスト）を噴霧させるノズルであり、暖房乾燥機本体２の吹出し口２０近傍に配設される（図１及び図２参照）。このスプラッシュミスト発生ノズル５６には、排水ライン６６（排水電磁弁６９の配設部位より上流側部位）から分岐するスプラッシュミストライン６８が接続され、スプラッシュミストライン６８を通して流れる温水がスプラッシュミスト発生ノズル５６から浴室内に噴霧される。このスプラッシュミストライン６８には、このライン６８を開閉するスプラッシュミスト用電磁弁７０が配設され、給水電磁弁６７及びスプラッシュミスト用電磁弁７０が開状態で、排水電磁弁６９が閉状態のときに、給水ライン６４からの水道水がミスト用熱交換器５４で加温された後にスプラッシュミスト発生ノズル５６に送給される。
【００３０】
また、マイクロミスト発生ノズル５８は、マイクロミスト（スプラッシュミストよりも小さいミストであって、５〜２０μｍ程度の粒径のミスト）を噴霧させるノズルであり、暖房乾燥機本体２の循環流路４における上流路部２４内に配設されている（図１参照）。このマイクロミスト発生ノズル５８には、排水ライン６６（具体的には、スプラッシュミストライン６８の分岐部位よりも上流側部位）から分岐するマイクロミストライン７２が接続され、マイクロミストライン７２を通して流れる温水がマイクロミスト発生ノズル５８から循環流路４の上流路部２４内に噴霧される。このマイクロミストライン７２には、このライン７２を開閉するマイクロミスト用電磁弁７４が配設され、給水電磁弁６７及びマイクロミスト用電磁弁７４が開状態で、排水電磁弁６９が閉状態のときに、給水ライン６４からの水道水がミスト用熱交換器５４で加温された後にマイクロミスト発生ノズル５８に送給される。
【００３１】
この形態では、マイクロミスト発生ノズル５８に関連して、更に、次の通りに構成されている。循環流路４の上流路部２４における、空気の流れ方向に見てマイクロミスト発生ノズル５８の下流側に、フィルタ７６が配設されている。このフィルタ７６は、マイクロミスト発生ノズル５８から噴霧されたミストのうち粒径の大きなミストをカットし、粒径の小さなマイクロミストのみがフィルタ７６を通過して吹出し口２０から浴室内に噴霧される。
【００３２】
また、仕切り板２２には集水部７８が設けられ、この集水部７８には下方に延びる連通路８０が設けられ、この連通路８０に電磁開閉弁８１が設けられている。循環流路４の下流路部２６における、連通路８０の下方に、蒸発用熱交換器８２が配設されている。蒸発用熱交換器８２はミスト用温水戻りライン６２に配設され、ミスト用熱交換器５４を流れた後の戻り温水が蒸発用熱交換器８２を通して温水戻りライン４８に流れる。このように構成されているので、フィルタ７６から流下した温水（又は水）は、集水部７８に集められ、連通路８０を流れて蒸発用熱交換器８２に流下し、蒸発用熱交換器８２を流れる温水からの熱によって蒸発され、かく蒸発されたミストが下流路部２６を流れる加温空気とともに吹出し口２０から浴室内に流れる。尚、この実施形態では、フィルタ７６から流下した温水（又は水）を利用するために蒸発用熱交換器８２を設けているが、この蒸発用熱交換器８２を省略し、この温水（又は水）を排水するようにしてもよい。
【００３３】
この浴室暖房乾燥機には、各種温度を検知するために温水往き温度検知手段８４、温水戻り温度検知手段８６、ミスト温水温度検知手段８８及び浴室温度検知手段９０が設けられている。温水往き温度検知手段８４は、熱源機３６から暖房用熱交換器８に供給される温水の温度（往き温度）を検知するためのものであり、温水往きライン４４における、ミスト用温水往きライン６０との接続部位より上流側に配設されている。この温水往き温度検知手段８４は、温水往きライン４４における、ミスト用温水往きライン６０との接続部位より下流側（熱動弁５０の上流側）に配設するようにしてもよい。また、温水戻り温度検知手段８６は、暖房用熱交換器８から熱源機３６に戻る温水の温度（戻り温度）を検知するためのものであり、温水戻りライン４８における、ミスト用温水戻りライン６２との接続部位より下流側に配設されている。この温水戻り温度検知手段８６は、温水戻りライン４８における、ミスト用温水戻りライン６２との接続部位より上流側に配設するようにしてもよい。
【００３４】
また、ミスト温水温度検知手段８８は、スプラッシュミスト発生ノズル５６及びマイクロミスト発生ノズル５８に送給される温水の温度を検知するためのものであり、ミスト用熱交換器５４の下流側（この形態では、ミスト用熱交換器５４とマイクロミストライン７２との接続部位と間の部位）に配設されている。また、浴室温度検知手段８６は浴室内の温度を検知するためのものであり、暖房乾燥機本体２の下面近傍に配設されている。温水往き温度検知手段８４、温水戻り温度検知手段８６、ミスト温水温度検知手段８８及び浴室温度検知手段９０からの検知信号は、後述するコントローラ９２に送給される
この浴室暖房乾燥機は、図３に示す操作リモコン９３を含み、この操作リモコン９３を用いて操作運転される。操作リモコン９３は、浴室暖房乾燥機の運転モードを設定するための運転モード設定手段９４を備え、この実施形態では、この運転モード設定手段９４は、暖房運転モードを設定する暖房スイッチ９６、乾燥運転モードを設定する乾燥スイッチ９８、換気運転モードを設定する換気スイッチ１００、涼風運転モードを設定する涼風スイッチ１０２、スプラッシュミスト運転モードを設定するスプラッシュスイッチ１０４及びマイクロミスト運転を設定するマイクロスイッチ１０６を備えている。
【００３５】
操作リモコン９３は、更に、浴室暖房乾燥機の運転を停止させるための停止スイッチ１０８、ルーバ２８の角度位置を設定する（即ち、ルーバ２８から吹き出す空気の風向を設定する）風向スイッチ１１０、運転時間を設定するための時間設定スイッチ１１２及び浴室温度を設定するための温度設定スイッチ１１４を備えている。時間設定スイッチ１１２は、設定運転時間を所定時間（例えば、１分）ずつアップさせるためのアップスイッチ１１６と、設定運転時間を所定時間（例えば、１分）ずつダウンさせるためのダウンスイッチ１１８とから構成され、また温度設定スイッチ７８は、設定浴室温度を所定温度（例えば、１℃）ずつアップさせるためのアップスイッチ１２０と、設定浴室温度を所定温度（例えば、１℃）ずつダウンさせるためのダウンスイッチ１２２とから構成されている。
【００３６】
操作リモコン９３は、更に、表示手段１２４及び送受信手段１２６（図４参照）を含んでいる。表示手段１２４は運転モード設定手段９４により設定された運転モード、時間設定スイッチ１１２により設定された設定運転時間、温度設定スイッチ１１４により設定された設定浴室温度、更には後述する如くして算出されたランニングコストなどを表示し、また、送受信手段１２６は運転モード設定手段９４により設定された運転モード信号、時間設定スイッチ１１２により設定された設定時間信号、温度設定スイッチ１１４により設定された設定温度信号、風向スイッチ１１０により設定された設定風向信号、停止スイッチ１０８により設定された停止信号などをコントローラ９２（図４参照）に送信するとともに、コントローラ９２からのランニングコスト信号（後述する）を受信する。
【００３７】
この実施形態では、浴室暖房乾燥機は、図４に示すコントローラ９２によって作動制御される。図示のコントローラ９２は、例えばマイクロプロセッサから構成される制御手段１２８、温度差演算手段１３０、温度差変化演算手段１３２、温度上昇判定手段１３４、定常状態移行判定手段１３６、異常信号生成手段１３８、計時手段１４０、時間演算手段１４２及び送受信手段１４４を備えている。制御手段１２８は、熱源機３６、暖房乾燥機本体２及びミスト発生装置５２を後述する如く制御し、温度差演算手段１３０は、暖房用熱交換器８の往き温水（流入側温水）の温度（即ち、温水往き温度検知手段８４の検知温度）とその戻り温水（流出側温水）の温度（即ち、温水戻り温度検知手段８６の検知温度）との温度差を後述する如く演算し、温度差変化演算手段１３２は、暖房用熱交換器８の流入側及び流出側の温度差変化を後述する如く演算し、温度上昇判定手段１３４は、設定時間（例えば、５〜２０秒程度に設定され、１例として１０秒に設定される）当たりの温度差（温度差演算手段１３０による演算値）が設定温度（例えば、５℃前後に設定される）以上であると温水が所要の通りに加温されて上昇していると判定し、また定常状態移行判定手段１３６は、設定時間（例えば７〜１２分間程度に設定され、一例として１０分に設定される）当たりの温度差変化を利用して定常運転状態への移行を判定し、この温度差変化が第１所定温度（例えば、３〜７℃程度に設定され、一例として５℃に設定される）以下になると、浴室暖房乾燥機が定常運転状態に移行したと判定する。また、異常信号生成手段１３８は、後述する場合に異常信号を生成し、計時手段１４０は時間を計時し、時間演算手段１４２は、後述する如く時間を演算し、送受信手段１４４は、操作リモコン９３の送受信手段１２６との間で各種信号の送受信を行う。尚、この形態では、定常運転状態への移行判定とともに、熱源機３６から供給される温水の温度上昇の判定を行っているが、温水の温度上昇判定を省略してもよく、この場合、温度差演算手段１３０及び温度上昇判定手段１３４を省略することもできる。
【００３８】
このコントローラ９２は、ランニングコスト演算手段１４６、第１メモリ１４８及び第２メモリ１５０を含み、このランニングコスト演算手段１４６は、非定常運転コスト演算手段１５２及び定常運転コスト演算手段１５４を有している。非定常運転コスト演算手段１５２は、次のようにして非定常運転状態における非定常運転コストを演算し、定常運転コスト演算手段１５４は、次のようにして定常運転状態における定常運転コストを演算し、ランニングコスト演算手段１４６は、非定常運転コスト及び定常運転コストに基づきランニングコストを算出する。
【００３９】
第１メモリ１４８には、非定常運転時間、定常運転時間、非定常運転コスト、定常運転コスト及びランニングコストなどの情報が記憶され、これら情報の一部又は全部は浴室暖房乾燥機の運転毎に更新される。また、第２メモリ１５０には、単位時間当たりのガス消費量、単位時間当たりの電力消費量、単位時間当たりの水道水消費量、ガス料金単価、電気料金単価、水道水料金単価及び非定常運転時のガス消費料金などが登録される。
【００４０】
この浴室暖房乾燥機におけるスプラッシュミスト運転及びマイクロミスト運転を概説すると、次の通りである。主として図１及び図２を参照して、スプラッシュミスト運転においては、暖房乾燥機本体２、熱源機３６及びミスト発生装置５２が作動される。即ち、熱源機３６（即ち、燃焼バーナ３８及び送給ポンプ４０）が作動され、また暖房乾燥機本体２の熱動弁５０が作動され、更にミスト発生装置５２の比例弁６１及び給水弁６７が作動される。従って、熱源機３６からの温水（例えば、約８０℃の温水）は、温水往きライン４４、暖房乾燥機本体２の暖房用熱交換器８及び温水戻りライン４８を通して流れるとともに、温水往きライン４４を流れる温水の一部は、ミスト用温水往きライン６０、ミスト用熱交換器５４、蒸発用熱交換器８２及びミスト用温水戻りライン６２を通して温水戻りライン４８に流れ、熱源機３６にて生成された温水が暖房乾燥機本体２及びミスト発生装置５２を通して循環される。
【００４１】
そして、温水往き温度検知手段８４の検知温度が所定温水温度（例えば、６０℃）になると、暖房乾燥機本体２の循環ファン１０が作動され、循環ファン１０によって浴室内の空気が循環流路４を通して循環され、暖房用熱交換器８にて温水との間で熱交換により加温された空気が吹出し口２０から吹き出し、浴室内が温められる。
【００４２】
このように浴室内が温められて浴室温度検知手段９０の検知温度が所定浴室温度（例えば、２５℃）以上になると、ミスト発生装置５２の給水電磁弁６７及びスプラッシュミスト用電磁弁７０が作動して開状態となり、給水ライン６４を通して供給される水道水がミスト用熱交換器５４にて温水との間で熱交換されて加温され、加温された温水が排水ライン６６及びスプラッシュミストライン６８を通してスプラッシュミスト発生ノズル５６に送給され、このスプラッシュ発生ノズル５６から浴室内に噴出され、浴室をサウナ空間として利用したスプラッシュミストによるサウナ効果が得られる。
【００４３】
また、マイクロミスト運転においては、上述したと略同様に、暖房乾燥機本体２、熱源機３６及びミスト発生装置５２が作動される。熱源機３６及び暖房乾燥機本体２が上述したと同様に作動され、更にミスト発生装置５２のマイクロミスト用電磁弁７４、比例弁６１及び給水電磁弁６７が作動される。従って、熱源機３６からの温水（例えば、約８０℃の温水）は、上述したと同様にして暖房乾燥機本体２及びミスト発生装置５２を通して循環される。また、給水ライン６４からの水道水がミスト用熱交換器５４、排水ライン６６及びマイクロミストライン７２を通してマイクロミスト発生ノズル５８に送給され、このマイクロミスト発生ノズル５８から循環流路４（上流路部２４）内に噴霧される。このとき、循環ファン１０は作動していないので、マイクロミスト発生ノズル５８から噴出したマイクロミストは、フィルタ７６を通過して流れず、このフィルタ７及び仕切り板２２を流れて集水部７８に集められる。
【００４４】
そして、温水往き温度検知手段８４の検知温度が所定温水温度（例えば、６０℃）になると、暖房乾燥機本体２の循環ファン１０が作動され、循環ファン１０によって浴室内の空気が循環流路４を通して循環され、この循環流路４（上流路部２４）を流れる空気にマイクロミスト発生ノズル５８からのマイクロミストが含まれ、マイクロミストを含む加温された空気が吹出し口２０から吹き出す。また、電磁開閉弁８１が作動して開状態となり、集水部７８に集められた水は、連通路８０を通して下方に蒸発用熱交換器８２の表面に流れ、この蒸発用熱交換器８２を流れる間に蒸発して循環流路４（下流路部２６）を流れる空気に含まれて吹出し口２０から吹き出し、浴室をサウナ空間として利用したマイクロミストによるサウナ効果が得られる。尚、マイクロミスト発生ノズル５８から噴霧された大粒径のミストは、フィルタ７６を通過することなく、このフィルタ７６の表面を流下して集水部７８に集められる。
【００４５】
この浴室暖房乾燥機では、スプラッシュミスト運転（又はマイクロミスト運転）におけるランニングコストは、次のようにして演算される。スプラッシュミスト運転（又はマイクロミスト運転）においては、上述したように、熱源機３６、暖房乾燥機本体２及びミスト発生装置５２が作動され、ランニングコスト演算手段１４６は、熱源機３６のガス消費量、暖房乾燥機本体２の電力消費量及びミスト発生装置５２の水道水消費量に基づいてランニングコストを演算する。
【００４６】
浴室暖房乾燥機のスプラッシュミスト運転では、運転開始からの時間とガス消費量、電力消費量及び水道水消費量との関係は、図５に示す通りとなり、暖房用熱交換器８の往き温水（流入側温水）の温度とその戻り温水（流出側温水）の温度との温度差が安定するまではガス消費量は大きく変動し、この温度差が安定するとガス消費量は大きく変動せずほぼ一定となる。このようなことから、暖房用熱交換器５４の往き温水温度（流入側温度）と戻り温水温度（流出側温度）との温度差が安定するまでは浴室暖房乾燥機は非定常運転状態で運転されるとし、その温度差が安定した後は浴室暖房乾燥機は定常運転状態で運転されるとしてランニングコストを演算している。
【００４７】
この実施形態では、暖房用熱交換器８の戻り温水の温度（温水往き温度検知手段８４の検知温度）とその戻り温水の温度（温水戻り温度検知手段８６の検知温度）との温度差の変化割合、即ち測定時間としての設定時間（例えば、１０分間）当たりの温度差の変化度合いを利用しており、この温度差変化（温度差変化度合い）が第１所定温度（例えば、５℃）以下になると、暖房用熱交換器８での水と温水との間の熱交換の度合いが低く、定常状態移行判定手段１３６は既に定常運転状態に移行したと判定し、コントローラ９２は、この判定時点（Ｔ２）から測定時間前（この形態では、１０分前）の時点（Ｔ１）に浴室暖房乾燥機が非定常運転状態から定常運転状態に切り換わったと処理して後述するようにランニングコストを演算する。
【００４８】
そして、このことに関連して、非定常運転状態における非定常運転コストについては非定常運転コスト演算手段１５２が演算し、定常運転状態における定常運転コストについては定常運転コスト演算手段１５４が演算する。この実施形態では、浴室暖房乾燥機の運転状況に即して非定常運転コストを比較的簡単に演算するために、熱源機３６におけるガス消費料金（Ｇ１）については一律に一定金額（例えば、６円）とし（定常運転状態のガス消費量に比して非定常運転状態におけるガス消費量が少なく、また非定常運転状態の運転時間は略一定で、このときのガス消費量も略一定であり、それ故に、非定常運転状態におけるガス消費量を一定にしてそのガス消費料金については一律とすることができる）、暖房乾燥機本体２の電力消費料金（Ｄ１）については、暖房乾燥機本体２の単位時間当たりの定格電力消費量、即ち循環ファン１０及びルーバ用モータ３２の単位時間当たりの定格電力消費量を用い、この定格電力消費量、非定常運転状態の運転時間及び電気料金単価に基づいて演算することができ、この電力消費料金（Ｄ１）は、Ｄ１＝（単位時間当たりの定格電力消費量）Ｘ（非定常運転状態の運転時間）Ｘ（電力料金単価）により算出される。尚、このスプラッシュミスト運転においては浴室内の温度が設定浴室温度（例えば、２５℃）に達するまでは、スプラッシュミスト発生ノズル５６からのスプラッシュミストの噴出がほとんどなく、従って、この非定常運転状態においては、ミスト発生装置５２における水道水消費料金（Ｓ１）は、発生しないとすることができる。
【００４９】
また、浴室暖房乾燥機の運転状況に即して定常運転コストを比較的簡単に演算するために、ガス消費料金（Ｇ２）については、ガス消費量が安定していることから、熱源機３６（即ち、燃焼バーナ４５）の単位時間当たりの定格ガス消費量を用い、この定格ガス消費量、定常運転状態の運転時間及びガス料金単価に基づいて演算することができ、このガス消費料金（Ｇ２）は、Ｇ２＝（単位時間当たりの定格ガス消費量）Ｘ（定常運転状態の運転時間）Ｘ（ガス料金単価）により算出される。また、電力消費料金（Ｄ２）については、暖房乾燥機本体２の単位時間当たりの定格電力消費量、即ち循環ファン１０及びルーバ用モータ３２の単位時間当たりの定格電力消費量を用い、この定格電力消費量、定常運転状態の運転時間及び電気料金単価に基づいて演算することができ、この電力消費料金（Ｄ２）は、Ｄ２＝（単位時間当たりの定格電力消費量）Ｘ（定常運転状態の運転時間）Ｘ（電力料金単価）により算出される。更に、定常運転状態においてはミスト発生装置５２のスプラッシュミスト発生ノズル５６からスプラッシュミストが噴出していることから、水道水料金（Ｓ２）については、ミスト発生装置５２の単位時間当たりの定格水道水消費量を用い、この定格水道水消費量、定常運転状態の運転時間及び水道水料金単価に基づいて演算することができ、この水道水消費料金（Ｓ２）は、Ｓ２＝（単位時間当たりの定格水道水消費量）Ｘ（定常運転状態の運転時間）Ｘ（水道水料金単価）により算出される。
【００５０】
次に、主として図２、図４及び図６を参照して、上述した浴室暖房乾燥機のスプラッシュミスト運転におけるランニングコスト算出の流れについて説明する。操作リモコン９３のスプラッシュミストスイッチ１０４をオン操作する（ステップＳ１）と、浴室暖房乾燥機の非定常運転が開始される（ステップＳ２）。この非定常運転においては、熱源機３６が作動して温水が生成され（ステップＳ３）、暖房乾燥機本体２が作動し（ステップＳ４）、更にミスト発生装置５２が作動する（ステップＳ５）。従って、熱源機３６にて生成された温水が暖房乾燥機本体２の暖房用熱交換器８を通して循環されるとともに、ミスト発生装置５２のミスト用熱交換器５４及び蒸発用熱交換器８２を通して循環される。また、循環ファン１０が作動して浴室内の空気が循環流路４を通して循環され、この循環の際に暖房用熱交換器８により空気が加温される。
【００５１】
このようにして非定常運転が行われると、計時手段１０４が作動して計時を開始する（ステップＳ６）。また、温水往き温度検知手段８４が暖房用熱交換器８の流入側温水の温度を検知し（ステップＳ７）、温水戻り温水検知手段８６が暖房用熱交換器８の流出側温水の温度を検知し（ステップＳ８）、これら温水往き温度検知手段８４及び温水戻り温度検知手段８６からの検知信号がコントローラ９２に送給される。
【００５２】
このように検知信号が送給されると、コントローラ９２の温度差演算手段１３０が暖房用熱交換器８の温水往き温度（温水往き温度検知手段８４の検知温度）及び温水戻り温度（温水戻り温度検知手段８６の検知温度）の温度差を演算し、この温度差（温度差演算手段１３０の演算値）が設定温度（例えば、５℃）以上に達しないときには、ステップＳ９からステップＳ１０に進む。ステップＳ１０においては、非定常運転の開始から温度上昇確認時間（例えば、２０分程度に設定される）経過したかが判断され、温度上昇確認時間経過しないときにはステップＳ９に戻るが、この温度上昇確認時間経過すると、暖房用熱交換器８における空気との熱交換が不充分で空気の温度上昇が少なく（換言すると、暖房用熱交換器８における熱交換が不充分で温水の温度低下が少ない）、温水の生成に何らかの異常が発生しているとしてステップＳ１１に進む。
【００５３】
ステップＳ１１においては、コントローラ９２の異常信号生成手段１０２が異常信号を生成し、制御手段１２８は、この異常信号に基づいてランニングコストの演算を中止し（ステップＳ１２）、更にランニングコスト算出のエラー表示が行われ、（ステップＳ１３）、このようにしてランニングコストの演算が終了する。
【００５４】
ステップＳ９において、暖房用熱交換器８の温水往き温度及び温水戻り温度の温度差が設定温度（５℃以上）に達すると、温度上昇判定手段１３４は、熱源機３６において正常に温水が生成されて暖房用熱交換器８にて正常に熱交換が行われていると判定する。そして、ステップＳ９からステップＳ１４に移る。ステップＳ１４においては、温度差変化演算手段１３２が測定時間ｔ（例えば、１０分間）における温水往き温度及び温水戻り温度の温度差の温度差変化を演算し、この温度差変化が第１所定温度（例えば、５℃）を超えていると、ステップＳ１４からステップＳ１５に進む。ステップＳ１５においては、温度上昇判定手段１３４が正常に熱交換されていると判定した後移行判定時間（例えば、２０分間程度に設定される）が経過したかが判断され、この移行判定時間を経過しないときにはステップＳ１４に戻り、この移行判定時間を経過するまでステップＳ１４及びステップＳ１５が繰り返し遂行されるが、移行判定時間を経過すると、温水の循環系統に何らかの異常が発生して暖房用熱交換器８にて空気との熱交換が不充分で空気の温度上昇が少ないとしてステップＳ１１に移り、その後、上述のステップＳ１１からステップＳ１３が遂行され、ランニングコストの算出は途中で終了し、そのエラー表示が行われる。
【００５５】
ステップＳ１４において、測定時間ｔ（１０分間）における暖房用熱交換器８の温水往き温度及び温水戻り温度の温度差変化が５℃以下になると、定常状態移行判定手段１３６は、熱源機３６、暖房乾燥機本体２及びミスト発生装置５２の作動が正常に行われ、浴室内の温度が所要の通りに上昇して定常運転状態に既に移行していると判定する（ステップＳ１６）。この定常運転状態への移行判定は、この判定時点Ｔ２よりも測定時間ｔ前に（即ち、この判定における測定時間開始時に）浴室暖房乾燥機の非定常運転が終了し、その後定常運転状態に切り換わっていることを示す。
【００５６】
この判定結果に関連して、コントローラ９２の時間演算手段１４２は、運転開始から非定常状態で運転された非定常運転時間Ｔ１（Ｔ１＝Ｔ２−ｔ）を演算し（ステップＳ１７）、この非定常運転時間Ｔ１がコントローラ９２の第１メモリ１４８に登録され（ステップＳ１８）、これに伴い、定常運転開始時刻が登録される（ステップＳ１９）。
【００５７】
その後、浴室暖房乾燥機の定常運転状態において、操作リモコン９３の停止スイッチ１０８をオン操作すると、ステップＳ２０からステップＳ２１に進み、浴室暖房乾燥機の定常運転が終了する（熱源機３６、暖房乾燥機本体２及びミスト発生装置５２が作動停止する）。かくすると、コントローラ９２の時間演算手段１４２は、計時手段１４０が計時した定常運転終了までの運転時間及び非定常運転の運転時間に基づいて定常運転状態の運転時間を演算し（ステップＳ２２）、演算された定常運転状態の運転時間が第１メモリ１４８に登録される（ステップＳ２３）。
【００５８】
このように浴室暖房乾燥機の運転が終了すると、非定常運転コスト演算手段１５２は、非定常運転状態における熱源機３６のガス消費量に基づくガス消費料金（Ｇ１）及び暖房乾燥機本体２の電力消費量に基づく電力消費料金（Ｇ１）に基づき非定常運転コスト（Ｈ１：Ｈ１＝Ｇ１＋Ｄ１）を演算し、演算された非定常運転コストが第１メモリ１４８に登録され（ステップＳ２４）、また定常運転コスト演算手段１５４は、定常運転状態における熱源機３６のガス消費量に基づくガス消費料金（Ｇ２）、暖房乾燥機本体２の電力消費量に基づく電力消費料金（Ｇ２）、及びミスト発生装置５２の水道水消費量に基づく水道水消費料金（Ｇ３）に基づき定常運転コスト（Ｈ２：Ｈ２＝Ｇ２＋Ｄ２＋Ｓ２）を演算し、演算された定常運転コストが第１メモリ１４８に登録される（ステップＳ２５）。そして、ランニングコスト演算手段１４６は、非定常運転コスト演算手段１５２による非定常運転コスト（Ｈ１）及び定常運転コスト演算手段１５４による定常運転コスト（Ｈ２）に基づきトータル運転コスト、即ちランニングコスト（Ｒ：Ｒ＝Ｈ１＋Ｈ２）を演算し、演算されたランニングコストが第１メモリ１４８に登録され（ステップＳ２６）、このランニングコスト情報がコントローラ９２から操作リモコン９３に送信されてその表示手段１２４に表示される（ステップＳ２７）。
【００５９】
次に、浴室暖房乾燥機のマイクロミスト運転では、運転開始からの時間とガス消費量、電力消費量及び水道水消費量との関係は、図７に示す通りとなり、上述したスプラッシュミスと運転と同様に、暖房用熱交換器８の往き温水（流入側温水）の温度とその戻り温水（流出側温水）の温度との温度差が安定するまではガス消費量は大きく変動し、この温度差が安定するとガス消費量は大きく変動せずほぼ一定となる。このようなことから、スプラッシュミスト運転と同様に、暖房用熱交換器５４の温水往き温度（流入側温度）と温水戻り温度（流出側温度）との温度差が安定するまでは浴室暖房乾燥機は非定常運転状態で運転され、その温度差が安定した後は浴室暖房乾燥機は定常運転状態で運転され、このように運転されるとしてランニングコストの演算が行われる。
【００６０】
マイクロミスト運転においても、図５と図７とを対比することによって容易に理解される如く、暖房用熱交換器８の温水往き温度（温水往き温度検知手段８４の検知温度）とその温水戻り温度（温水戻り温度検知手段８６の検知温度）との温度差の変化割合、即ち測定時間としての設定時間（例えば、１０分間）当たりの温度差の変化度合いを利用しており、この温度差変化（温度差変化度合い）が第１所定温度（例えば、５℃）以下になると、暖房用熱交換器８での温水との間の熱交換の度合いが低く、定常状態移行判定手段１３６は既に定常運転状態に移行していると判定する。
【００６１】
このマイクロミスト運転においては、上述したように、浴室暖房乾燥機の運転開始から水道水が給水ライン６４、ミスト用熱交換器５４、排水ライン６６及びマイクロミストライン７２を通してマイクロミスト発生ノズル５８に供給されるように構成されており、この構成を除くその他の構成及び制御は、上述したスプラッシュミスト運転と同様であり、またそのランニングコストの演算及び表示の流れも、図６に示すスプラッシュミスト運転における流れと同様である。
【００６２】
このマイクロミスト運転においては、非定常運転状態では、熱源機３６、浴室乾燥機本体２及びミスト発生装置５２が作動されるので、非定常運転コスト演算手段１５２は、熱源機３６のガス消費料金（Ｇ１）、暖房乾燥機本体２の電力消費料金（Ｇ１）及び水道水の消費料金に基づいて非定常運転コスト（Ｈ１）を演算する。尚、このときのガス消費料金（Ｇ１）については一律とすることができ、暖房乾燥機本体２の電力消費料金（Ｄ１）については、暖房乾燥機本体２の単位時間当たりの定格電力消費量、非定常運転状態の運転時間及び電力料金単価に基づき算出することができ、また水道水消費料金（Ｓ１）については、ミスト発生装置５２の単位時間当たりの定格水道水消費量、非定常運転状態の運転時間及び水道水料金単価に基づき算出することができる。
【００６３】
また、定常運転状態では、スプラッシュミスト運転と同様に、熱源機３６、浴室乾燥機本体２及びミスト発生装置５２が作動されるので、定常運転コスト演算手段１５４は、熱源機３６のガス消費料金（Ｇ２）については、熱源機３６の単位時間あたりの定格ガス消費量、定常運転状態の運転時間及びガス料金単価に基づき算出することができ、暖房乾燥機本体２の電力消費料金（Ｄ２）については、暖房乾燥機本体２の単位時間当たりの定格電力消費量、定常運転状態の運転時間及び電力料金単価に基づき算出することができ、また水道水消費料金（Ｓ２）については、ミスト発生装置５２の単位時間当たりの定格水道水消費量、定常運転状態の運転時間及び水道水料金単価に基づき算出することができる。
【００６４】
以上、本発明に従う浴室暖房乾燥機の一実施形態について説明したが、本発明はかかる実施形態に限定されるものではなく、本発明の範囲を逸脱することなく種々の変形又は修正が可能である。
【００６５】
例えば、上述した実施形態では、スプラッシュミスト運転及びマイクロミスト運転の双方の運転を行う形態のものに適用して説明したが、このようなものに限定されず、スプラッシュミスト運転又はマイクロミスト運転のいずれか一方の運転を行う形態のものにも同様に適用することができる。
【００６６】
また、上述した実施形態では、定常状態移行判定手段１３６により浴室暖房乾燥機が定常運転状態に移行したことを判定しているが、このような定常状態移行判定に代えて、定常状態判定手段（図示せず）を設け、この定常状態判定手段により浴室暖房乾燥機が定常運転状態となったことを次のように判定するようにしてもよく、この場合、温度差変化演算手段１３２及び定常状態移行判定手段１３６を省略することができ、また温度差演算手段１３０は暖房用熱交換機８の温水戻り温度の温度差を演算する。尚、この形態において、上述した実施形態と同様のものについては、同様の参照番号を用いて説明する。
【００６７】
この形態では、暖房乾燥機本体２の暖房用熱交換器８の戻り温水（流出側温水）の温度変化を利用して定常状態になったことを判定している。図８において、この形態の浴室暖房乾燥機のスプラッシュミスト運転におけるステップＳ３１〜ステップＳ３６の流れは、上述した実施形態のステップＳ１〜ステップＳ６（図６参照）の流れと同様である。
【００６８】
このような非定常運転状態において、暖房用熱交換器８の温水戻り温度（流出側温度）の検知が行われ（ステップＳ３７）、温度差演算手段１３０は、この温水戻り温度（温水戻り温度検知手段８６の検知温度）の温度差（例えば、１０秒前の温度と現時点の温度との温度差）を演算し、この戻り温度差が５℃以上に達しないときには、ステップＳ３８からステップＳ３９に進み、ステップＳ３９〜ステップＳ４２の流れは、図６におけるステップＳ１０〜ステップＳ１３の流れと同様である。
【００６９】
このステップＳ３８において、暖房用熱交換器８の戻り温度差が５℃以上になると、熱源機３６にて正常に温水が生成されて温水戻り温度が上昇したとしてステップＳ４３に移る。このステップＳ４３においては、この戻り温度差が第２所定温度（例えば、２℃程度に設定される）以下になったかが判断され、第２所定温度（２℃）以下になるまでステップＳ４３及びステップＳ４４が繰り返し遂行され、このような状態が定常判定時間（例えば、２０分間程度に設定される）行われると、温水循環系統に何らかの異常が発生したとしてステップＳ４４からステップＳ４０に移り、ステップＳ４０〜ステップＳ４２が遂行される。
【００７０】
このステップＳ４３において、暖房用熱交換器８の温水戻り温度（温水戻り温度検知手段８６の検知温度）の温度差が２℃以下になると、熱源機３６、暖房乾燥機本体２及びミスト発生装置５２の作動が正常に行われて浴室内の温度が安定したとして、定常状態判定手段（図示せず）は定常運転状態になったと判定し、浴室暖房乾燥機の非定常状態の運転が終了する（ステップＳ４５）。
【００７１】
このようにして浴室暖房乾燥機の非定常状態の運転が終了した後に定常状態の運転が開始され、その後浴室暖房乾燥機の運転が終了した後に非定常運転状態の非定常運転コスト及び定常運転状態の定常運転コストの演算が行われ、これらについてのステップＳ４５〜ステップＳ５４の流れは、上述した実施形態におけるステップＳ１７〜ステップＳ２７の流れとほぼ同様であり、このようにしても上述したと同様にランニングコストを演算して表示することができる。
【符号の説明】
【００７２】
２  暖房乾燥機本体
８  暖房用熱交換器
４４  温水往きライン
４８  温水戻りライン
５２  ミスト発生装置
５４  ミスト用熱交換器
５６  スプラッシュミスト発生ノズル
５８  マイクロミスト発生ノズル
６０  ミスト用温水往きライン
６２  ミスト用温水戻りライン
８２  蒸発用熱交換器
８４  温水往き温度検知手段
８６  温水戻り温度検知手段
９２  コントローラ
９３  操作リモコン
１３０  温度差演算手段
１３２  温度差変化演算手段
１３４  温度上昇判定手段
１３６  定常状態移行判定手段
１４６  ランニングコスト演算手段
１５２  非定常運転コスト演算手段
１５４  定常コスト演算手段
【図１】
2014105979.tif 000003
【図２】
2014105979.tif 000004
【図３】
2014105979.tif 000005
【図４】
2014105979.tif 000006
【図５】
2014105979.tif 000007
【図６】
2014105979.tif 000008
【図７】
2014105979.tif 000009
【図８】
2014105979.tif 000010